(57)【要約】【課題】ガス遮断装置の電池消耗を削減すること。【解決手段】報知通信装置部１の電源を報知側一次電池７から供給し、その他の電源をガス遮断装置側の一次電池２から供給することで、一次電池２の電池消耗を削減し、かつ一次電池２により確実に保安機能を動作させる。【選択図】図１
2005274196.tif 000002
【特許請求の範囲】
【請求項１】
非接触で通信の送受信を可能とする第１通信側送受信部と、前記第１通信側送受信部が送受信するデータを作成、解読する通信側制御部と、報知手段とを有する報知通信装置部と、前記報知通信装置部に電源を供給する報知側一次電池と、ガス遮断装置側の非接触で通信の送受信を可能とする送受信部と、流量入力部と、制御部とを備え、前記送受信部と前記流量入力部と前記制御部に電源を供給する一次電池を有するガス遮断装置。
【請求項２】
報知側電源として太陽電池素子を用いた請求項１記載のガス遮断装置。
【請求項３】
報知側電源として太陽電池素子から二次電池に電源を供給し、前記二次電池から通信報知装置部に電源を供給する請求項１記載のガス遮断装置。
【請求項４】
報知側電源として太陽電池素子からコンデンサに電源を供給し、前記コンデンサから通信報知装置部に電源を供給する請求項１記載のガス遮断装置。
【請求項５】
外部と通信を可能とし通信側一次電池から電源を供給する第２通信側送受信部と、第１通信側送受信部が送受信するデータを作成、解読し、前記第２通信側送受信部へデータを作成、解読する通信側制御部を有する報知通信装置部を有する請求項１記載のガス遮断装置。
【請求項６】
通信側電源として太陽電池素子を用いた請求項５記載のガス遮断装置。
【請求項７】
通信側電源として太陽電池素子から二次電池に電源を供給し、前記二次電池から通信報知装置部に電源を供給する請求項５記載のガス遮断装置。
【請求項８】
通信側電源として太陽電池素子からコンデンサに電源を供給し、前記コンデンサから通信報知装置部に電源を供給する請求項５記載のガス遮断装置。
【発明の詳細な説明】
【技術分野】
【０００１】
本発明は、ガス遮断装置に関して特に電源に関するものである。
【背景技術】
【０００２】
従来のこの種のガス遮断装置で一次電池以外から電源を用いるものは、特開２００２−１６８６７３号公報に示すようなものが一般的であった。この装置は図３に示されているようにガス遮断装置０を太陽電池２１もしくは二次電池２２を利用して、電源として供給するように構成されていた。
【特許文献１】特開２００２−１６８６７３号公報
【発明の開示】
【発明が解決しようとする課題】
【０００３】
しかしながら従来のガス遮断装置０は、長期間メンテナンスを行わない保安装置の仕様となっているため、ガス遮断装置全体の電源を太陽電池素子２１および二次電池２２とする場合、設置条件および電池の長期耐久性能など未知の部分が多く、それらの想定できる障害を考慮して設計するとコストが削減できないという課題を有していた。また、ガス遮断装置は想定以上の報知手段による電池消耗が起こると、使用期間を満足できず機能停止するという課題を有していた。
【課題を解決するための手段】
【０００４】
本発明は上記課題を解決するために、ガス遮断装置の報知手段のみの別電源供給しガス遮断装置と切り分けることでガス遮断装置の保安を確実に動作させる。
【発明の効果】
【０００５】
本発明のガス遮断装置によれば、報知を別装置とすることで保安側の一次電池の消耗を削減し、確実に保安機能を動作させる設計でき開発コストの削減することが可能となる効果がある。また、通信型ガス遮断装置と通信を行わない報知型ガス遮断装置を通信報知装置部の組み合わせにて切り替えられ、ガス遮断装置の部品共通化などで通信型ガス遮断装置のコストダウンにつながる。
【発明を実施するための最良の形態】
【０００６】
第１の発明は、非接触で通信の送受信を可能とする第１通信側送受信部と、前記第１通信側送受信部が送受信するデータを作成、解読する通信側制御部と、報知手段とを有する報知通信装置部と、前記報知通信装置部に電源を供給する報知側一次電池と、ガス遮断装置側の非接触で通信の送受信を可能とする送受信部と、流量入力部と、制御部とを備え、前記送受信部と前記流量入力部と前記制御部に電源を供給する一次電池を有するガス遮断装置であり、報知手段の電源をガス遮断装置の電源と別にすることにより、報知手段によるガス遮断装置の一次電池の消耗を低減し、ガス遮断装置の保安を確実にすることができる。
【０００７】
第２の発明は、第１の発明において、報知側電源として太陽電池素子を用いたガス遮断装置であり、報知手段の電源を太陽電池素子にて供給することで、報知時の電池消耗を考慮しない設計ができる。
【０００８】
第３の発明は、第１の発明において、報知側電源として太陽電池素子から二次電池に電源を供給し、二次電池から通信報知装置部に電源を供給するガス遮断装置であり、報知手段の電源を太陽電池素子にて供給することで、報知時の電池消耗を考慮しない設計ができ、二次電池を併用することで自然条件に左右されない安定した供給が可能となる。
【０００９】
第４の発明は、第１の発明において、報知側電源として太陽電池素子からコンデンサに電源を供給し、コンデンサから通信報知装置部に電源を供給するガス遮断装置であり、報知手段の電源を太陽電池素子にて供給することで、報知時の電池消耗を考慮しない設計ができ、コンデンサを併用することで自然条件に左右されない安定した供給が可能となる。
【００１０】
第５の発明は、第１の発明において、外部と通信を可能とし通信側一次電池から電源を供給する第２通信側送受信部と、第１通信側送受信部が送受信するデータを作成、解読し、第２通信側送受信部へデータを作成、解読する通信側制御部を有する報知通信装置部を有するガス遮断装置であり、外部への通信および報知手段の電源をガス遮断装置の電源と別にすることにより、報知手段および外部への通信によるガス遮断装置の一次電池の消耗を低減し、ガス遮断装置の保安を確実にすることができる。
【００１１】
第６の発明は、第５の発明において、通信側電源として太陽電池素子を用いたガス遮断装置であり、報知手段および外部への通信の電源を太陽電池素子にて供給することで、報知時および通信時の電池消耗を考慮しない設計ができる。
【００１２】
第７の発明は、第５において、通信側電源として太陽電池素子から二次電池に電源を供給し、二次電池から通信報知装置部に電源を供給するガス遮断装置であり、報知手段および外部への通信の電源を太陽電池素子にて供給することで、報知時および通信時の電池消耗を考慮しない設計ができ、二次電池を併用することで自然条件に左右されない安定した供給が可能となる。
【００１３】
第８の発明は、第５の発明において、通信側電源として太陽電池素子からコンデンサに電源を供給し、コンデンサから通信報知装置部に電源を供給するガス遮断装置であり、報知手段および外部への通信の電源を太陽電池素子にて供給することで、報知時および通信時の電池消耗を考慮しない設計ができ、コンデンサを併用することで自然条件に左右されない安定した供給が可能となる。
【００１４】
以下、本発明の実施例について図面を用いて説明する。なお、本実施の形態によって本発明が限定されるものではない。
【００１５】
（実施の形態１）
図１は本発明の実施例１のガス遮断装置０と報知通信装置部１のブロック図である。
【００１６】
図１について説明する。ガス遮断装置０では一次電池２が流量入力部３、制御部４、弁５に電源を供給する。報知通信装置部１では報知側一次電池７が、第１通信側送受信部８と通信側制御部９と報知手段１０に電源を供給する。
【００１７】
流量入力部３より流量を検知して制御部４に流量信号Ｎ１を出力する。制御部４が流量信号Ｎ１を受け取ると流量が任意に設定した流量かを判定し、設定した流量を超えていれば弁５に弁閉出力信号Ｎ２を出力する。弁５が弁閉出力信号Ｎ２を受け取ると弁を閉じる。制御部４は弁５に信号を出力するとともに送受信部６に通信報知信号Ｎ３を出力する。送受信部６は、通信報知信号Ｎ３を受け取ると、非接触送信信号Ｎ４を出力する。報知通信装置部１の第１通信送受信部８は、非接触送信信号Ｎ４を受け取ると、通信受信信号Ｎ５を通信側制御部９に出力する。通信側制御部９は、通信受信信号Ｎ５を受け取ると、通信内容を解読し、報知手段１０に報知信号Ｎ６を出力し、通信送信信号Ｎ７を第１通信側送受信部８に出力する。報知手段１０は、報知信号を受け取ると、報知する（たとえばＬＥＤ、ＬＣＤの表示や音など）。第１通信送受信部８は、通信送信信号Ｎ７を受け取ると、送受信部６に非接触受信信号Ｎ８を出力する。送受信部６は非接触受信信号Ｎ８を受け取ると、制御部４に通信報知済信号Ｎ９を出力する。制御部４は、通信報知済信号Ｎ９を受け取ると、解読し、報知手段に報知信号Ｎ６が出力されたことを確認する。なお、報知側一次電池７の代わりに、太陽電池素子のみ、太陽電池素子と二次電池の併用、太陽電池素子とコンデンサの併用により通信報知部１に電源を供給してもよい。
【００１８】
上記実施の形態により、報知手段の電源の供給を報知側一次電池から行うことで、流量判定などの保安機能のみの電池消費となり一次電池の消耗を削減し、かつ一次電池を保安機能に用いることで確実に保安機能を動作させることが可能である。
【００１９】
（実施の形態２）
図２は本発明の実施の形態２のガス遮断装置０と報知通信装置部１のブロック図である。
【００２０】
図２について説明する。ガス遮断装置０では一次電池２が流量入力部３、制御部４、弁５に電源を供給する。報知通信装置部１では通信側一次電池１２が、第１通信側送受信部８と通信側制御部９、報知手段１０と第２通信側送受信部１１に電源を供給する。
【００２１】
流量入力部３より流量を検知して制御部４に流量信号Ｎ１を出力する。制御部４が流量信号Ｎ１を受け取ると流量が任意に設定した流量かを判定し、設定した流量を超えていれば弁５に弁閉出力信号Ｎ２を出力する。弁５が弁閉出力信号Ｎ２を受け取ると弁を閉じる。制御部４は弁５に信号を出力するとともに送受信部６に通信報知信号Ｎ３を出力する。送受信部６は、通信報知信号Ｎ３を受け取ると、非接触送信信号Ｎ４を出力する。報知通信装置部１の第１通信送受信部８は、非接触送信信号Ｎ４を受け取ると、通信受信信号Ｎ５を通信側制御部９に出力する。通信側制御部９は、通信受信信号Ｎ５を受け取ると、通信内容を解読し、報知開始内容だった場合、報知手段１０に報知信号Ｎ６を出力し、通信送信信号Ｎ７を第１通信側送受信部８に出力する。
【００２２】
また、通信側制御部９は、通信受信信号Ｎ５を受け取ると、通信内容を解読し、通信開始内容だった場合、第２通信側送受信部１１に外部送信信号Ｎ１０を出力し、通信送信信号Ｎ７を第１通信側送受信部８に出力する。報知手段１０は、報知信号を受け取ると、報知する（たとえばＬＥＤ、ＬＣＤの表示や音など）。第１通信送受信部８は、通信送信信号Ｎ７を受け取ると、送受信部６に非接触受信信号Ｎ８を出力する。送受信部６は非接触受信信号Ｎ８を受け取ると、制御部４に通信報知済信号Ｎ９を出力する。制御部４は、通信報知済信号Ｎ９を受け取ると、解読し、報知手段に報知信号Ｎ６が出力されたことを確認する。
【００２３】
なお、通信側一次電池１２の代わりに、太陽電池素子のみ、太陽電池素子と二次電池の併用、太陽電池素子とコンデンサの併用により通信報知部１に電源を供給してもよい。第２通信側送受信部１１は、外部送信信号Ｎ１０を受け取ると、外部と通信する（たとえば、コイルとＬＥＤを使った通信、もしくは電線を使った通信）。第２通信側送受信部１１は、外部から通信を受け取ると、外部受信信号Ｎ１１を通信側制御部９に出力する。通信側制御部９は、外部受信信号Ｎ１１を受け取ると、解読し、通信送信信号Ｎ７を第１通信側送受信部８に出力する。第１通信送受信部８は、通信送信信号Ｎ７を受け取ると、送受信部６に非接触受信信号Ｎ８を出力する。送受信部６は非接触受信信号Ｎ８を受け取ると、制御部４に通信報知済信号Ｎ９を出力する。制御部４は、通信報知済信号Ｎ９を受け取ると、解読し、外部通信の内容を設定、確認を行い、再度通信する場合は通信報知信号Ｎ３を出力する。
【００２４】
上記実施の形態により、報知手段と外部通信の電源の供給を通信側一次電池から行うことで、流量判定などの保安機能のみの電池消費となり一次電池の消耗を削減し、かつ一次電池を保安機能に用いることで確実に保安機能を動作させることが可能である。
【産業上の利用可能性】
【００２５】
通信型ガス遮断装置と通信を行わない報知型ガス遮断装置を報知通信装置部の組み合わせにて切り替えられ、ガス遮断装置の部品共通化などで通信型ガス遮断装置のコストダウンが可能となるので、家庭内情報化装置の用途にも適用できる。
【図面の簡単な説明】
【００２６】
【図１】本発明の実施の形態１におけるガス遮断装置のブロック図
【図２】本発明の実施の形態２におけるガス遮断装置のブロック図
【図３】従来のガス遮断装置のブロック図
【符号の説明】
【００２７】
０  ガス遮断装置
１  報知通信装置部
２  一次電池
３  流量入力部
４  制御部
５  弁
６  送信部
７  報知側一次電池
８  第１通信側送受信部
９  通信側制御部
１０  報知手段
１１  第２通信側送受信部
１２  通信側一次電池
【図１】
2005274196.tif 000003
【図２】
2005274196.tif 000004
【図３】
2005274196.tif 000005